(57)【特許請求の範囲】
【請求項１】
複数の無線基地局と、該複数の無線基地局と通信網とを接続する通信制御装置と、前記通信網に接続されたコンテンツサーバとを有し、
前記複数の無線基地局が、無線端末に対して、ある通信情報を同じタイミングで送信し、無線端末においては、複数の基地局から同じタイミングで受信した通信情報を合成する処理を行って通信情報を受信する無線通信システムにおける無線基地局であって、
前記無線基地局は複数のセクタから構成され、
予め、前記無線基地局に、自無線基地局のセクタおよびそれらのセクタに隣接するセクタについて、セクタを識別するセクタ番号とそれらのセクタに対して通信情報の送信要求を行うか否かの基準となるパラメータとを対応付けて記憶しているテーブルと、制御部とを備え、
該制御部は、
無線端末に通信情報を送信中に、該無線端末が前記自無線端末の位置情報と前記無線基地局の位置情報と前記パラメータに基いて選択したセクタへの通信情報の追加送信要求を前記無線端末から受信すると、
前記通信情報の追加送信要求のあったセクタに対して通信情報のID、自セクタのIDを少なくとも含む通信情報送信要求を送信し、
一方、他の無線基地局から通信情報送信要求を受信した場合には、前記通信制御装置との間に前記通信情報を送信するためのパスを確立し、前記通信制御装置を介して前記コンテンツサーバより通信情報を取得して前記無線端末への通信情報の送信を開始するよう制御することを特徴とする無線基地局。
【請求項２】
前記通信情報の送信要求を行うか否かの基準となるパラメータとして、無線端末と無線基地局との距離を用いることを特徴とする請求項１に記載の無線基地局。
【発明の詳細な説明】
【技術分野】
【０００１】
本発明は、制御情報を報知して通信情報（音声、データ）の通信を行う無線システムに係り、特に複数の基地局間またはセクタ間で同一の通信情報を同タイミングで送信し、無線端末でこれら通信情報の合成を行う技術に関する。
【背景技術】
【０００２】
通信の分野ではブロードバンドの普及、ルータ装置等の技術的な進歩、エンドユーザの「通信端末」で大容量のストリーミング映像等を受信したいというニーズとシーズの増加に伴い、大容量のデータ、音声通信だけでなく、ユニキャストに比べて少ない通信リソースで、データや音声を同報する技術つまりマルチキャスト技術に注目が集まっている。マルチキャストとは、一つのパケットまたはデータストリームを複数の相手に同時に送信する技術である。サーバとクライアント間に設置されたルータでパケットまたはデータストリームを必要数分複製し多数の端末に転送する。一方、ユニキャストは複数の相手に１対１の形態で複数個のパケットまたはデータストリームを送信する技術である。
【０００３】
複数のユーザ（端末）、ルータ、サーバなどに同一の音声、データを送信する際にマルチキャストを利用すると、複数のパケットまたはデータストリームを送信しなければならないユニキャストに比べてネットワーク上を流れるトラフィック量の抑制やアプリケーションサーバの負荷を軽減できる。無線通信においても、無線帯域の効率化を図るため、１つの音声、データを複数の端末で受信する通信方式の検討が行われている。従来の無線通信の方式は端末毎に物理チャネルを割り当て、無線上にコネクションを確立して通信する１対１のユニキャスト通信であった。この物理チャネルのある特定のチャネルをマルチキャスト用チャネルとして割り当てることで、複数の端末に対して同一の音声、データを送信する。１つのデータストリームを複数の端末で受信することで無線帯域の効率化を図っている。
【０００４】
無線基地局は1つ以上の複数のセクタから構成される。端末の電波受信状態は端末とセクタとの間の電波伝搬環境により異なる。ユニキャストでは端末とセクタ間で１対１通信を行っているため、端末毎に電波受信状況が良いときには送信する音声、データのデータレートを高くして、電波伝搬状況が悪いときにはデータレートを低くするなど調整することが可能である。一方、マルチキャストでは規定されたマルチキャスト用チャネルからある特定のデータレートで送信された音声、データを受信しなければならない。無線端末の電波環境に依り受信可能なデータレートが異なるため、マルチキャストされたデータストリームのデータレートが高いと伝播環境の悪い無線端末はデータストリームを受信できなくなり、データレートを低く設定するとスループットが低下するというトレードオフが発生する。端末が受信した音声、データをデコートできるか否かは受信した実音声、データとノイズ、それぞれの信号の大きさの比率に依存する。一定のデータレートでマルチキャストされた音声、データをより多くの端末で受信可能とするためにはノイズに対する実音声、データ信号の大きさの比率を大きくすればよい。
【０００５】
無線通信方式にＣＤＭＡ（Ｃｏｄｅ  Ｄｉｖｉｓｉｏｎ  Ｍｕｌｔｉｐｌｅ  Ａｃｃｅｓｓ（符号分割多重接続）：複数の発信者の音声信号にそれぞれ異なる符号を乗算し、すべての音声/データ信号を合成して1つの周波数を使って送る。受け手は自分と通信している相手の符号を合成信号に乗算することにより、相手の音声/データ信号のみを取り出すことができる方式）を用いた場合、従来のユニキャスト通信方式では電波環境の最も良いセクタを選択して通信を行っていたため、選択対象となっていない隣接の基地局またはセクタから送信される電波は同じ周波数帯の場合全て干渉ノイズとなっていた。ノイズに対する実音声、データの強さの比率を大きくする方法として、複数の基地局またはセクタから、同じ周波数を使用して同じ音声、データを同じタイミングで送信し、端末でこれら音声、データ信号を合成するという方式が非特許文献１に記載されている。複数の基地局またはセクタで同じ音声、データを同じタイミングで送信し、端末では複数の基地局やセクタから送信された信号を合成する方式を用いることで、電波環境の良いセクタを選択して１対１の通信を行う方式に比べて、ノイズに対する実音声、データの比率が大きくなり、より多くの端末でマルチキャストされた高データレートのデータの受信が可能となる。本技術をソフトコンバインという。基地局またはセクタから音声、データを送信するタイミングは制御情報に含め、基地局から端末に対して一定周期で報知する。
【０００６】
【非特許文献１】３ＧＰＰ２  Ｃ.Ｓ００５４
【発明の開示】
【発明が解決しようとする課題】
【０００７】
無線基地局から無線端末に対してマルチキャストする音声、データをフローと呼称する。無線基地局は1つ以上の複数のセクタから構成される。通信制御装置は無線基地局と有線で接続され、無線情報のコンフィギュレーション、セッション情報の管理及び無線パケットを制御及び終端を行う。前述のように、ソフトコンバインとは複数の無線基地局またはセクタ間で同タイミングに送信された同一のフローを無線端末で合成し復元することで無線端末が受信するノイズに対する実データの比率を増加させ、フローの受信品質を向上させる技術である。ソフトコンバインを実施するためには複数のセクタで同一のフローを同一のタイミングで送信する必要がある。
【０００８】
しかし、ある無線基地局（セクタ）が、無線端末または通信制御装置からフローの視聴送信要求を受信したことを契機にマルチキャストサービスを行っている全ての無線基地局（セクタ）で同一のフローを同一のタイミングで送信すると無線帯域を無駄に浪費してしまう。何セクタ分のフローをソフトコンバイン可能かは無線端末の性能に依存するため、無線端末が受信できないセクタ数で同一データを送信しても無線リソースの無駄使いとなる。フローを送信する基地局（セクタ）側は無線端末の性能に応じて、無線帯域の利用効率を最適に保つようフローを送信するエリア（セクタ群）を規定することが必要である。
【０００９】
無線端末は主として最も強い電波を受信しているセクタとシグナリングの送受信を行っている。無線端末とシグナリングの送受信を行っているセクタの隣接のセクタは無線端末からの視聴要求受信状況を把握することができないためソフトコンバインを行うためのフローの開始、停止のタイミングを認識することができない。ここで、隣接のセクタとはあるセクタと隣接しているセクタの中で無線基地局（セクタ）に隣接として登録されたセクタを示す。無線端末はセクタから報知される隣接情報を基にハンドオフ処理を行う。また、無線端末から視聴要求を受信していたセクタにおいても、無線端末からのあるフローに対する視聴要求が途絶えたとしても、隣接のセクタが無線端末からそのフローの視聴要求を受信しておりソフトコンバイン用のフローを送信しなければならない状況下である可能性もあるため、安易にフローの送信を停止することはできない。ダイナミックに変化する隣接セクタの視聴要求受信状況、自セクタのフロー送信状況を管理するための方式が必要である。
【００１０】
本発明は、ソフトコンバインを実施するためのフローを送信する基地局（またはセクタ）を決定する手段を有する無線基地局及び無線通信システムを提供することになる。
【００１１】
また、本発明は、フローの開始および停止を制御する手段を有する無線基地局及び無線通信システムを提供することにある。
【課題を解決するための手段】
【００１２】
上記課題を解決するために、本願発明は、セクタを複数のＳＨＯＧ(Ｓｏｆｔ  Ｈａｎｄ  Ｏｆｆ  Ｇｒｏｕｐ)を分類し、フローを送信するエリアを、フローの視聴要求を受信したセクタと、そのセクタの隣接セクタかつＳＨＯＧが同じセクタに限定するようにした。セクタの状態を無線端末からのメッセージ受信状況に応じて３つの状態に分類することで、フローの解放制御を実現する。
【００１３】
また、本願発明によれば、無線端末と無線基地局（セクタ）との距離を規定するＳＣＲ（Ｓｏｆｔ  Ｃｏｍｂｉｎｅ  Ｒａｄｉｕｓ）というパラメータを定義する。無線端末の位置情報と無線端末が在圏している無線基地局（セクタ）の位置情報から距離を計算し、距離の計算結果がＳＣＲを超えた場合に隣接の無線基地局（セクタ）に対してソフトコンバイン用のフロー送信要求を送信する。また距離の計算結果がＳＣＲ以下となった場合に隣接の無線基地局（セクタ）に対してフロー停止要求を送信する。
【００１４】
また、本願の発明によれば、無線基地局と隣接の無線基地局との距離を規定するＳＣＤ（Ｓｏｆｔ  Ｃｏｍｂｉｎｅ  Ｄｉｓｔａｎｃｅ）というパラメータを定義する。無線基地局は無線端末からのフロー視聴要求の受信を契機に、隣接の無線基地局に対してフロー送信要求を送信する。隣接の無線基地局は無線基地局から隣接の無線基地局までの距離を計算し、計算結果がＳＣＤ以内であればフローを送信する。無線基地局は無線端末から定期的に送信されるフロー視聴要求に対してタイマを設定し、タイマが満了した際に隣接の無線基地局に対してフロー停止要求を送信する。
【００１５】
さらに、本願発明によれば、無線端末から受信した受信電力の高いセクタの情報を統計化し、最も多くの無線端末が高い電力を受信しているとされる上位ｎ個のセクタに対して、フロー送信要求を送信する。統計は一定周期で行い、ダイナミックにフローの送信エリアを変化させる。無線基地局は無線端末から定期的に送信されるフロー視聴要求に対してタイマを設定し、タイマが満了した際にフロー送信要求を送信していた無線基地局に対してフロー停止要求を送信する。
【発明の効果】
【００１６】
本発明によれば、ＳＨＯＧと隣接情報、またはＳＣＲと隣接情報、またはＳＣＤと隣接情報、または無線端末の受信電力の統計値を用いてフローを送信するエリアを制限することで無線帯域の無駄な浪費を回避しつつフローの送信を管理し、最適なサービスを実施することが可能である。地域毎に異なるフローを送信したい場合に管理が容易である。
【００１７】
また、本発明によれば、「Ｍａｉｎ」「Ｓｕｂ」「Ｎｏｎ」の３つの状態を管理することで隣接の視聴要求受信状況を常時管理することなくフローの解放が可能となる。
【００１８】
さらに、本発明によれば、セクタとは別に通信制御装置で視聴メッセージ受信監視タイマを管理することで、リソースの解放漏れを防ぐことが可能である。
【発明を実施するための最良の形態】
【００１９】
以下に本発明の実施の形態を説明する。
【実施例１】
【００２０】
図１は、本発明を適用する無線システムの構成を示す図である。本発明を適用する無線通信システムは、無線端末１００と、この無線端末と接続可能な複数の基地局（１１０−１、１１０−２、・・・１１０−６）と、これら複数の基地局および通信網１３０（例えば、ＩＰ（Ｉｎｔｅｒｎｅｔ Ｐｒｏｔｏｃｏｌ）ネットワーク）が接続される通信制御装置（パケット制御装置）１２０とから構成されている。ＩＰ網１３０には、コンテンツ（通信情報）を配信するコンテンツサーバ１４０が接続されている。コンテンツサーバ１４０から配信されるコンテンツは、パケットの形でＩＰ網１３０を介して通信制御装置１２０に送信される。
【００２１】
ここで、例えば、無線基地局１０−１は、無線基地局１０−２および無線基地局１０−３と隣接関係にある。隣接の基地局とは、無線端末がハンドオフする対象となる基地局のことを示す。
【００２２】
無線基地局（１１０−１、１１０−２、・・・１１０−６）は、無線端末１００と無線通信を行う。マルチキャストされる音声、データ（フロー）は、無線基地局からマルチキャストチャネルを使用して無線端末に送信される。また、各無線基地局は、定期的に無線端末に送信する音声、データ毎の送信時間、送信タイミングを制御情報として無線端末に報知する。これは、無線端末が、無線基地局からマルチキャストチャネルで送信されてくる複数の音声、データから、受信したい（無線端末のユーザが視聴したい）音声、データを識別するためである。尚、本実施例では、無線基地局は、複数のセクタから構成される。
【００２３】
通信制御装置１２０は、受信パケットの制御や無線端末のセッション情報の管理等の機能を備える。また、通信制御装置１２０は、複数の無線基地局から同一タイミングで送信されるデータ、音声（フロー）情報を管理しており、定期的またはフローの新規割り当てや解放を契機として複数の無線基地局にフロー情報を通知する機能を備える。
【００２４】
コンテンツサーバ１４０は、通信制御装置１２０からのコンテンツの送信開始または停止要求に対してコンテンツの送信または停止を行う機能を有する。
【００２５】
図２は、無線基地局１１０−１の構成を示すブロック図である。無線基地局（１１０−２、・・・１１０−６）の構成もこれと同様の構成である。無線基地局１１０−１は、複数のアンテナ（２００−１、２００−２、２００−３）と、アンテナ各々に接続された無線アナログ部（２０１−１、２０１−２、２０１−３）と、これら無線アナログ部と接続されたディジタル信号処理部２０２と、通信制御装置と接続される回線インタフェース部２０３と、上記ディジタル信号処理部２０２および回線インタフェース部２０３と接続された呼処理部２０４と、この呼処理部と接続される基地局制御部２０５とを備えている。
【００２６】
無線アナログ部（２０１−１、２０２−２、２０３−３）は、無線端末から受信したアナログ信号をディジタル信号に変換してディジタル信号処理部２０２に出力するとともに、ディジタル信号処理部２０２から受信したディジタル信号をアナログ信号（電波）に変換し、アンテナを介して無線端末に送信する。
【００２７】
ディジタル信号処理部２０２は、無線アナログ部から受信したディジタル信号（上り信号）の復調や無線端末宛の下り信号の変調を行う。
【００２８】
回線インタフェース部２０３は、通信制御装置１２０とパケットの送受信を行う。
【００２９】
呼処理部２０２は、プロセッサ２１０と、プロセッサ２１０が実行するプログラムを格納するプログラム格納メモリ２１１と、セクタの状態を管理するためのセクタ状態管理テーブル２１２と、フロー情報を管理するためのフロー情報管理テーブル２１３と、回線インタフェース部２０３および基地局制御部２０５と信号の送受信を行う入出力インタフェース（Ｉ/Ｏ）２１４とを備えている。
【００３０】
基地局制御部２０５は、基地局１１０−１全体を統括的に制御する。
【００３１】
図３は、セクタ状態管理テーブル２１２の構成を示す図である。セクタ状態管理テーブル２１２は、セクタを識別するセクタ番号２１２−１と、同一のフローを同一タイミングで送信するセクタ群を識別する情報であるソフトハンドグループ（Ｓｏｆｔ  Ｈａｎｄｏｆｆ  Ｇｒｏｕｐ；以下、ＳＨＯＧと称する。）とが対応付けられて記憶されている。
【００３２】
図４は、フロー情報管理テーブル２１３の構成を示す図である。フロー情報管理テーブル２１３は、フローを識別する識別子（ＩＤ）２１３−１と、フローを送信するデータレート２１３−２と、フローを送信する時間２１３−３と、フローを送信するタイミング２１３−４とが対応付けられて記憶されている。
【００３３】
図５は、通信制御装置１２０の構成を示すブロック図である。通信制御装置１２０は、基地局とのインタフェース５００と、装置制御部５０２と、呼処理部５０３と、ＩＰ網１３０とのインタフェース５０１とを備えている。
【００３４】
回線インタフェース５００は、基地局とパケットの送受信を行う。回線インタフェース５０１は、ＩＰ網１３０とパケットの送受信を行う。呼処理部５０２は、プロセッサ５２０と、プロセッサ５２０が実行するプログラム格納メモリ５２１と、フローを受信する無線端末がソフトコンバインを実施するために必要な情報を記憶する情報管理テーブル５２２と、装置制御部５０２と信号の送受信を行う入出力インタフェース（Ｉ／Ｏ）５２３とを備えている。装置制御部５０２は、通信制御装置１２０全体を統括的に制御する。
【００３５】
図６は、情報管理テーブル５２２の構成を示す図である。情報管理テーブル５２２は、フローを識別するフローＩＤ５２２−１と、フローを送信するデータレート５２２−２と、フローを送信する時間５２２−３と、フローを送信するタイミング５２２−４とが対応付けられて記憶されている。
【００３６】
図７は、コンテンツサーバ１４０の構成を示すブロック図である。コンテンツサーバ１４０は、プロセッサ７００と、プロセッサ７００が実行するプログラムを格納するプログラム格納メモリ７０１と、無線端末に配信するコンテンツを格納するコンテンツ格納データベース７０２と、ＩＰ網１３０とのパケットの送受信を行う入出力インタフェース（Ｉ/Ｏ）７０３とを備えている。尚、図示していないが、端末は、無線基地局とパケットの送受信を行うインタフェースと、プロセッサと、プロセッサが実行するプログラムを格納するプログラム格納メモリと、複数の基地局から送信されるフローを合成し、復元する手段を備える。
【００３７】
図８は、マルチキャストサービスのフローの送信開始制御を示すシーケンス図である。無線基地局１１０−１に着目した場合、無線基地局１１０−２は、無線基地局１１０−１の隣接の基地局であり、無線基地局１１０−４、１１０−５は、隣接基地局１１０−２、１１０−３の隣接基地局である。本実施例では、無線基地局１１０−２、１１０−３を隣接基地局、無線基地局１１０−４、１１０−５を隣接の隣接基地局と呼称する。
【００３８】
各無線基地局の初期状態は、Ｎｏｎの状態（ステップ８００、８０１、８０２）とする。無線端末１００は、マルチキャストのフローを視聴する際、無線基地局１１０−１に対してフロー視聴要求を送信する（ステップ８０３）。フロー視聴要求は無線端末がフローを視聴している間、定期的に送信される（ステップ８０４）。
【００３９】
無線基地局１１０−１は、無線端末１００からフロー視聴要求を受信すると、通信制御装置１２０に対してコンテンツ情報取得要求を送信する。コンテンツ情報取得要求にはフロー視聴要求を受信したセクタのＳＨＯＧ、要求のあったフローのＩＤを含める（８０５）。
【００４０】
通信制御装置１２０は、要求を受けたフローＩＤに対する情報を情報管理テーブル５２２から検索し、無線基地局に対してコンテンツ情報通知を返信する。コンテンツ情報通知には要求のあったフローに関する情報である無線で送信する際のフローのデータレートを含める（ステップ８０７）。尚、この際、セキュリティ情報等を合わせて通知しても良い。また、通信制御装置はコンテンツサーバ１４０に対してフロー送信要求を送信する。フロー送信要求には要求のあったフローのＩＤを含める（ステップ８０６）。
【００４１】
コンテンツサーバはフロー送信要求のＡＣＫを返信し（ステップ８０８）、要求のあったフローを送信する（ステップ８０９）。
【００４２】
無線基地局１１０−１は通信制御装置との間にパスを確立し、フローの情報管理テーブルを更新する。パス確立の際に、通信制御装置は無線基地局１１０−１に対してフローを送信する時間と送信のタイミングを通知する（ステップ８１０、８１１）。尚、フローを送信する時間と送信のタイミングはコンテンツ情報通知で通知しても良い。パス確立後、無線基地局１１０−１は無線端末に対してフローの送信を開始する（ステップ８１２、８１３）。フロー送信後、無線基地局１１０−１は「Ｎｏｎ」から「Ｍａｉｎ」に遷移する（ステップ８１４、８１５）。無線基地局１１０−１は「Ｍａｉｎ」に遷移後、隣接基地局（セクタ）１１０−２、１１０−３に対してフロー送信要求を送信する。フロー送信要求には送信するフローのＩＤ、自セクタのＩＤ、ＳＨＯＧ、通信制御装置から受信した送信するフローの送信データレート、送信時間、送信タイミングのパラメータを含める（ステップ８１６）。
【００４３】
隣接基地局１１０−２、１１０−３は無線基地局１１０−１に対して、フロー送信要求のＡＣＫを返信する（ステップ８１７）。隣接基地局１１０−２、１１０−３は無線基地局１１０−１から通知されたＳＨＯＧと自セクタのＳＨＯＧが等しい場合、通信制御装置との間にパスを確立する（ステップ８１８）。フロー送信後（ステップ８１９、８２１）、「Ｎｏｎ」から「Ｓｕｂ」に遷移する（ステップ８２２）。無線端末は複数のセクタ１１０−１、１１０−２、１１０−３、から受信したフローを合成し復元する。無線基地局１１０−１と隣接基地局１１０−２、１１０−３のＳＨＯＧが異なる場合はステップ８１８以降のシーケンスは行わない。また、隣接基地局１１０−２、１１０−３が無線基地局１１０−１から送信要求のあったフローに対し「Ｍａｉｎ」またはすでに「Ｓｕｂ」であった場合は現在の状態を維持する。「Ｍａｉｎ」またはすでに「Ｓｕｂ」である場合は通信制御装置との間ですでにパスが確立され、フローが送信されている状態にあるため、ステップ８１８以降のシーケンスは行われない。
【００４４】
図９は、マルチキャストサービスのフロー送信停止制御を示すシーケンス図である。無線基地局１１０−１の状態は「Ｍａｉｎ」９００、隣接基地局１１０−２、１１０−３の状態は「Ｓｕｂ」９０１、隣接の隣接基地局１１０−４、１１０−５の状態は「Ｎｏｎ」９０２である。
【００４５】
無線端末１００は無線基地局１１０−１に対して定期的にフロー視聴要求を送信している（ステップ９０３）。無線端末からの定期送信が停止され（ステップ９０４）、フロー視聴管理タイマが満了すると無線基地局１１０−１は「Ｍａｉｎ」から「Ｓｕｂ」へ遷移する（ステップ９０５、９０６）。
【００４６】
無線基地局１１０−１は隣接基地局１１０−２、１１０−３に対して隣接セクタに「Ｍａｉｎ」状態のセクタが存在するか否か確認するため、セクタ状態確認要求を送信する。セクタ状態確認要求にはフローＩＤと自セクタのＩＤ、ＳＨＯＧを含める（ステップ９０７）。
【００４７】
隣接基地局１１０−２、１１０−３は無線基地局１１０−１に対してセクタ確認要求のＡＣＫを返信する。セクタ確認要求のＡＣＫにはフローＩＤ、自セクタのＳＨＯＧ、セクタの状（「Ｍａｉｎ」「Ｓｕｂ」「Ｎｏｎ」）情報を含める（ステップ９１２）。隣接基地局１１０−２、１１０−３が「Ｍａｉｎ」でない場合、無線基地局１１０−１は「Ｓｕｂ」から「Ｎｏｎ」に遷移する。「Ｎｏｎ」に遷移後、無線基地局１１０−１は通信制御装置との間のパスを解放する（ステップ９１５）。隣接基地局１１０−２、１１０−３が「Ｍａｉｎ」である場合は「Ｓｕｂ」の状態を保ち、通信制御装置間のパスを開放しない。隣接基地局１１０−２、１１０−３は「Ｓｕｂ」の状態であるため、セクタ状態確認要求の受信を契機に、セクタ状態確認要求を受信した以外の隣接の基地局１１０−４、１１０−５に対して、隣接セクタに「Ｍａｉｎ」状態のセクタが存在するか否か確認するため、セクタ状態確認要求を送信する。セクタ状態確認要求にはフローＩＤと自セクタのＩＤ、ＳＨＯＧを含める（ステップ９１１）。隣接の隣接基地局１１０−４、１１０−５は隣接基地局１１０−２、１１０−３に対してセクタ確認要求のＡＣＫを返信する。セクタ確認要求のＡＣＫにはフローＩＤ、自セクタのＳＨＯＧ、セクタの状態（「Ｍａｉｎ」「Ｓｕｂ」「Ｎｏｎ」）情報を含める（ステップ９１２）。隣接の隣接基地局１１０−４、１１０−５が「Ｍａｉｎ」でない場合、隣接基地局１１０−２、１１０−３は「Ｓｕｂ」から「Ｎｏｎ」に遷移する。「Ｎｏｎ」に遷移後、隣接基地局１１１、１１３は通信制御装置との間のパスを解放する（ステップ９１６）。隣接の隣接基地局１１０、１１４が「Ｍａｉｎ」である場合は「Ｓｕｂ」の状態を保ち、通信制御装置間のパスを開放しない。
【００４８】
通信制御装置は配下の全ての無線基地局で該当フローに対するパスが解放されたことを契機に、フロー停止要求をコンテンツサーバ１４０に送信する。フロー停止要求にはフローＩＤを含める（ステップ９１７）。
【００４９】
コンテンツサーバ１４０は通信制御装置に対して、フロー停止要求のＡＣＫを送信する（ステップ９１８）。
【００５０】
上述のように、同一のフローを同タイミングで送信する範囲を無線端末からフローの視聴要求を受信したセクタとその隣接のセクタに限定することで無線端末が受信できないセクタ（端末の性能を超える数のセクタまたは無線端末の受信電力が弱いため受信することができないセクタ）から無駄にフローを送信することを抑制することが可能となる。フローを送信していないセクタではフローを送信していない時間を他のフローの送信やユニキャストサービスなど他の音声、データ通信に割り当てることができるため、無線リソースを効率的に利用することが可能である。
【００５１】
無線基地局は無線端末からのフロー視聴要求の受信を契機に全ての隣接セクタに対してソフトコンバイン用のフロー送信要求を送信する。フロー送信要求には自セクタのセクタＩＤ，フローのＩＤ，フローの送信タイミング、フローの送信時間等の情報を含める。フローＩＤはフロー毎に固有に割り振られたフローの識別子である。セクタＩＤはセクタ毎に割り振られたセクタの識別子である。隣接のセクタはフローＩＤとセクタＩＤを受信することで、どのフローに対する確認要求を隣接のどのセクタから受信したか識別する。隣接セクタはフロー送信要求の受信を契機に受信したパラメータに従い、フローの送信を開始する。無線端末はフローを視聴している間、在圏しているセクタに対して定期的に視聴メッセージを送信している。無線端末からの視聴メッセージ受信監視タイマが満了した際に当セクタで送信しているフローの解放可否を判定するため、セクタの状態を「Ｍａｉｎ」「Ｓｕｂ」「Ｎｏｎ」の３つの種別に分類してフロー毎に管理する。無線端末から視聴メッセージを受信しているセクタを「Ｍａｉｎ」、視聴メッセージを受信しているセクタと隣接関係であるセクタを「Ｓｕｂ」、それ以外のセクタを「Ｎｏｎ」と定義する。フローは「Ｍａｉｎ」と「Ｓｕｂ」から同タイミングで送信され、無線端末で「Main」からの電波と「Sub」からの電波を電力合成しフローは復元される。無線端末からの視聴メッセージ受信監視タイマの満了を契機に、「Ｍａｉｎ」は「Ｓｕｂ」に遷移する。「Ｓｕｂ」に遷移すると同時に隣接セクタに対して、隣接セクタが「Ｍａｉｎ」であるか確認するためのメッセージを送信する。このメッセージのパラメータとしてフローのＩＤと自セクタのセクタＩＤ等を含める。確認の結果、隣接セクタに「Ｍａｉｎ」が存在しない場合は「Ｓｕｂ」から「Ｎｏｎ」に遷移する。「Ｓｕｂ」は「Ｍａｉｎ」であるか確認するためのメッセージの受信を契機にメッセージを受信したセクタ以外の隣接セクタに対して隣接セクタが「Ｍａｉｎ」であるか確認するためのメッセージを送信する。隣接セクタに「Ｍａｉｎ」が存在しない場合は「Ｓｕｂ」から「Ｎｏｎ」に遷移する。「Ｎｏｎ」は「Ｍａｉｎ」であるか確認するためのメッセージの受信応答のみ行う。通信制御装置は無線端末のセッション情報の管理、無線基地局で送信しているフローの管理、フローの配信、停止の制御、承認、認証機能等を備えた装置である。複数の無線基地局（セクタ）で同一のフローを同タイミングで送信するため、通信制御装置では配下の全無線基地局（セクタ）のリソースを管理している。通信制御装置と無線基地局（セクタ）の間はＡインタフェース（ＴＳＧ−Ａ標準で定められたインタフェース）で通信を行う。フローを送信している状態で無線基地局（セクタ）が初期化されると、無線基地局はフローを送信している情報を失うため、通信制御装置に使用されていない無駄なリソースが残る可能性がある。通信制御装置のリソースの解放漏れを回避するため、通信制御装置でも視聴メッセージ受信監視タイマを管理する。タイマ値は無線基地局（セクタ）の視聴メッセージ監視タイマ以上の値とする。タイマが満了した場合はフローの送信テーブルからフロー情報を解放し、配下のセクタに対して��ロー送信用パスの解放要求を送信する。また、コンテンツサーバに対してフローの停止要求を送信する。
【００５２】
無線端末からのフロー視聴要求ではなく、通信制御装置からのフロー視聴要求に対しても同様の方式を用いてソフトコンバインを実施可能である。通信制御装置からのフロー視聴要求を契機に本方式を用いるには２つの手段がある。１つ目の方法は通信制御装置から無線端末から送信される視聴メッセージ相当のメッセージを定期的に送信する方法である。２つ目の方法は視聴メッセージ監視タイマの満了を契機に動作するのではなく、フロー送信要求、停止要求を契機に「Ｍａｉｎ」「Ｓｕｂ」「Ｎｏｎ」の遷移を行う方式である。
【００５３】
無線基地局（セクタ）でどのフローを送信しているかは無線基地局の上位ノードである通信制御装置で管理する。（無線基地局間でフローの割当削除の情報を送受し、管理しても良い。）無線端末は移動体であるため、複数のセクタ間をハンドオフする可能性がある。無線端末でフローを合成するためにはハンドオフ先のセクタでも同じフローを同タイミングで送信する必要がある。該当時間に対するフロー割当の衝突（隣接のセクタ間で同じ時間に別のフローが割り当てられていること）を防止するため、あるセクタでフローを送信している場合、フローを送信していない無線基地局（セクタ）でもそのフローを送信している時間帯を無線端末のハンドオフに備えて空けておかなければならなくなり、送信可能なフロー数、無線利用効率が低下する。また、何セクタ分のフローを合成可能かは無線端末の性能に依存するため、隣接の全セクタで同一のフローを同タイミングで送信することが必ずしも最良であるとは限らない。これらの問題を解決するために上記の方式に加え、次のような方法をとる。同一のフローを同タイミングで送信する範囲をＳＨＯＧ（Ｓｏｆｔ Ｈａｎｄ Ｏｆｆ Ｇｒｏｕｐ）と定義する。セクタ毎にどのＳＨＯＧに属するかを設定する。（フロー単位にセクタにＳＨＯＧを設定しても良い。）ある無線端末からフローの視聴要求を受信した場合はそのフローを同一のタイミングで送信する範囲を、視聴要求を受信したセクタとそのセクタと隣接の関係にあり同じＳＨＯＧに属しているセクタに限定する。通信制御装置ではＳＨＯＧ毎にフローの送信テーブルを管理し、フローの送信時間、送信タイミングの決定を行う。無線端末からフローの視聴要求の受信を契機に全ての隣接セクタに対してソフトコンバイン用のフロー送信要求を送信する。（セクタで隣接セクタのＳＨＯＧを管理し、隣接セクタの中で同一ＳＨＯＧのセクタのみにフロー送信要求を送信するようにしてもよい。）フロー送信要求には自セクタのセクタＩＤ，ＳＨＯＧ，フローのＩＤ，フローの送信タイミング、フローの送信時間等の情報を含める。隣接セクタはフロー送信要求を受信したセクタが同一ＳＨＯＧに属している場合は受信したパラメータに従い、フローの送信を開始する。
セクタの「Ｍａｉｎ」、「Ｓｕｂ」、「Ｎｏｎ」の状態遷移にもＳＨＯＧを用いる。隣接セクタが「Ｍａｉｎ」であるか確認するためのメッセージにＳＨＯＧを含めて送信し、メッセージを受信したセクタのＳＨＯＧと自セクタのＳＨＯＧを比較し、ＳＨＯＧが異なる場合はＳＨＯＧ不一致の情報を含めてメッセージを受信したセクタに返信する。ＳＨＯＧが同じ場合は前記の処理を行う。（セクタで隣接セクタのＳＨＯＧを管理し、隣接セクタの中で同一ＳＨＯＧのセクタのみに隣接セクタが「Ｍａｉｎ」であるか確認するためのメッセージを送信するようにしてもよい。）
【実施例２】
【００５４】
図１０、図１１は、第２の実施形態を説明する無線通信システムの概略図である。図１２は、基地局１００１、１００２には、セクタ番号１２０１とＳＣＲ１２０２とを対応付けて記憶するテーブル１２００（図１２）を備える。
【００５５】
図１３、図１４は、第２の実施形態を示すシーケンス図である。無線端末１００は、基地局１００１（セクタ１００１）に在圏しており、基地局１００１とシグナリングのやり取りをしているとする。基地局１００１は、無線端末１００にフローを送信している（ステップＳ１３００）。基地局１００１は、自基地局の位置情報を無線端末１００に報知する（Ｓ１３０１）。
【００５６】
無線端末１００は、自端末の位置情報をＧＰＳ等から取得し（Ｓ１３０２）、無線端末１００は、自端末と基地局１００１との距離の計算を行う（Ｓ１３０３）。次に、無線端末１００は、基地局１００１に設定されたＳＣＲ（Ｓｏｆｔ  Ｃｏｍｂｉｎｅ  Ｒａｄｉｕｓ）の外へ移動したことを契機に、そのＳＣＲ値と計算結果とを比較し（Ｓ１３０４）、ＳＣＲ値の方が計算結果より小さい（ＳＣＲ＜計算結果）場合には、基地局１００１にフロー送信要求を行う（Ｓ１３０５）。このフロー追加要求には、フローＩＤ、フローの追加を要求する無線基地局（セクタ）のセクタＩＤリスト等を含める。フローの追加を要求するセクタは、セクタ１００１以外のセクタで、無線端末が受信している各セクタからの受信電力から上位ｎ個のセクタを選択する（例えば、セクタ２）。尚、無線端末と隣接の無線基地局（セクタ）との距離を計算し距離の短い順にｎ個のセクタを選択しても良い。又、無線端末の位置情報を在圏している無線基地局（セクタ）基地局に通知し、無線基地局（セクタ）で管理している隣接の無線基地局（セクタ）の位置情報から無線端末と隣接の無線基地局（セクタ）の距離を計算し、距離の短い順に上位ｎ個のセクタを選択する方法をとっても良い。
【００５７】
無線基地局１００１は、受信したフロー追加要求に含まれるフローＩＤに基づき、フロー情報管理テーブルを検索して（Ｓ１３０６）、フローＩＤ、データレート、送信時間、送信タイミング等のパラメータを取得し、これらの情報と自セクタのセクタＩＤを含むフロー送信要求をセクタ２に行う（Ｓ１３０７）。
【００５８】
セクタ２は、受信したフロー送信要求に含まれるパラメータを基にフローの送信を開始する（Ｓ１３０８）。
【００５９】
無線端末１００は、２つのセクタｋら受信したフローを合成し、復元する。
【００６０】
また、無線端末１００は、ＳＣＲ内に移動したことを契機に、ＳＣＲ値と計算結果とを比較し（Ｓ１４０４）、ＳＣＲ値の方が計算結果より大きい（ＳＣＲ＞計算結果）場合には、無線端末１００が在圏している無線基地局以外のフローを受信している無線基地局（セクタ１００１）にフロー削除要求を行う（Ｓ１４０５、図１４）。尚、図１４において、Ｓ１４００〜１４０３迄の処理は、図１３のＳ１３００〜Ｓ１３０３迄の処理と同様である。フロー削除要求にはフローＩＤ、セクタ情報等のパラメータを含める。
【００６１】
セクタ１００１は、無線端末１００からフロー削除要求を受信すると、受信したフロー削除要求に含まれるフローＩＤに基づき、フロー情報管理テーブルを検索して（Ｓ１４０６）、フローＩＤ等のパラメータを取得し、これらの情報を含むフロー停止要求をセクタ２に行う（Ｓ１４０７）。
【００６２】
フロー停止要求を受信したセクタ１００２は、該当フローに対して他の無線端末からフロー視聴要求を受信していないか確認し、フロー視聴要求を受信していない場合はフローを停止する。
【００６３】
尚、フローの追加と削除が無線端末の動作によりバタつかない様にフロー削除要求を送信するまでに保護時間を設けても良い。また、フロー停止要求を送信するＳＣＲを別パラメータ（“フロー送信ＳＣＲ＞フロー停止ＳＣＲ”）として定義し、フロー停止処理に保護を入れても良い。
【００６４】
また、無線基地局は定期的にフロー視聴要求を送信している。従って、このフロー視聴要求を利用し、フロー視聴要求に対してフロー停止用のタイマを設定し、フローを停止するようにしても良い。
【実施例３】
【００６５】
図１５は、第３の実施形態を説明する無線通信システムの概略図である。無線基地局（１５０１、１５０２、・・・１５０５）には、セクタ番号１６０１と、基地局間の距離のパラメータを表すＳＣＤ（Ｓｏｆｔ  Ｃｏｍｂｉｎｅ  Ｄｉｓｔａｎｃｅ）１６０２と、位置情報１６０３と、電力情報１６０４とを対応付けて記憶するテーブル１６００を備えている（図１６）。ＳＣＤは、各基地局に設定される。
【００６６】
図１７は、第３の実施の形態の動作を示すシーケンス図である。基地局１５０１は、無線端末１００にフローを送信している。基地局１５０１は、無線端末１００からフロー視聴要求を受けると（Ｓ１７０1）、隣接の基地局（１５０２、１５０３、１５０４）に対してフロー送信要求を行う（Ｓ１７０６）。このフロー送信要求には、自セクタＩＤ、フローＩＤ、データレート、送信時間、送信タイミング、ＳＣＤ、自基地局の位置情報、フロー送信回数等のパラメータが含まれている。フロー送信回数は、フローを送信するか否かの判断に使用する。基地局１５０１は、フロー送信要求の回数を記憶しておく。
【００６７】
基地局（１５０２、１５０３、１５０４）は、フロー送信要求に含まれる基地局１５０１の位置情報と自基地局の位置情報とから、基地局間の距離を計算する（Ｓ１７０５）。次に、基地局（１５０２、１５０３、１５０４）は、計算結果とＳＣＤ値を比較し、ＳＣＤが計算結果より大きく（ＳＣＤ＞距離の計算結果）、かつ該当フローを送信していないと判断した場合（Ｓ１７０６）、無線端末１００へのフロー送信を開始する（Ｓ１７０７）。また、基地局（１５０２、１５０３、１５０４）は、フロー送信回数を記憶する（Ｓ１７０８）。基地局は、ＳＣＤが計算結果以下（ＳＣＤ≦距離の計算結果）、かつ該当フローを送信していないと判断した場合（Ｓ１７０６）、現状のフロー送信状態を維持する。
【００６８】
次に、例えば、基地局１５０２は、フロー送信回数と予め定められた回数とを比較し、フロー送信回数が予め定められた回数を超えていない場合には、フロー送信要求を受信した無線基地局以外の基地局１５０６にフロー送信要求を行い（Ｓ１７１０）、フロー送信回数を記憶する（Ｓ１７１１）。すなわち、フロー送信要求を受信した基地局は、該当フローに対して一定時間以上前にフロー送信要求を送信していない場合は、フロー送信要求を受信した基地局（セクタ）以外の隣接の基地局（セクタ）に対してフロー送信要求を行う。
【００６９】
送信回数のパラメータには、受信した送信回数をインクリメントしたものを含める。超過した場合はフロー送信要求メッセージの送信は行わない。またフロー送信要求を送信した無線基地局（セクタ）は一定時間、メッセージ送信回数が何回のフロー送信要求を受信したか記憶しておき、同一情報（メッセージ回数のみ異なる）のフローの送信要求を受信した場合にはメッセージを破棄する。
【００７０】
基地局１５０６は、ステッテ１７０５、１７０６と同様の処理を行い（Ｓ１７１２、１７１３）、無線端末１００にフローを送信する（Ｓ１７１４）。
【００７１】
無線基地局（セクタ）１５０１は定期的に無線端末１００から送信されるフロー視聴要求に対してタイマ設定し管理する。タイマが満了した際には（Ｓ１７１５）、隣接の無線基地局（１５０２、１５０３、１５０４）に対してフロー停止要求を送信する（Ｓ１７１６）。基地局１５０２は、このフロー停止要求を基地局１５０６に送信する（Ｓ１７１７）。フロー停止要求には送信を停止するフローのＩＤ、メッセージの送信回数を含める。
【００７２】
フロー停止要求を受信した無線基地局（１５０２、１５０３、１５０４、１５０６）は該当フローに対して他の無線端末からフロー視聴要求を受信していない場合はフローの送信を停止する（Ｓ１７１１）。また、受信したフロー停止要求に含まれるメッセージ送信回数をインクリメントし、インクリメントした値が定められたメッセージ送信回数の上限以内である場合はフロー停止要求を受信した無線基地局以外の隣接の無線基地局に対してフロー停止要求を送信する。フロー停止要求を送信した無線基地局（セクタ）は一定時間、フロー送信要求を受信したことを記憶しておき、同一情報（メッセージ回数のみ異なる）のフローの停止要求を受信した場合にはメッセージを破棄する。
【００７３】
図１８は、段階送信の動作を示すシーケンス図である。段階送信の場合は、ＳＣＤのパラメータを複数持ち、処理は、図１７と同様である。
【実施例４】
【００７４】
図１９、図２０は、第２の実施形態を説明する無線通信システムの概略図である。図２１は、無線端末に備えるテーブルの構成を示す図である。図２２が、基地局に備えるテーブルの構成を示す図である。図２３、２４は、第２の実施形態のシーケンスを示す図である。
【００７５】
無線端末１００、１０１、１０２は、基地局（セクタ）１９００に在圏しており、基地局１９００とシグナリングのやり取りをしている。基地局１９００は、無線端末１００〜１０２にフローを送信している（ステップＳ２３０１）。
【００７６】
各無線端末（１００、１０１、１０２）は、各基地局（セクタ）から受信した信号の電力を測定し（ステップＳ２３０２）、テーブルに記憶する（ステップ２３０３）（図２１）。無縁端末は、測定した受信電力と予め設定された電力閾値とを比較し、その電力閾値を超え、かつ受信電力の高い上位ｎのセクタを決定する（Ｓ２３０４）。このｎは、無線端末の性能を考慮し、無線端末が電力合成可能な範囲内の値とする。
【００７７】
次に各無線端末は、フローＩＤと決定したセクタ情報を含むフロー視聴要求を基地局１（セクタ１）に行う（Ｓ２３０５）。ここでは、例えば、無線端末１は、基地局２からの受信電力が高いため、セクタ情報として基地局２の情報をフロー視聴要求に含める。同様に、無線端末２は、基地局３、無線端末３は、基地局３、４、５の情報（セクタ情報）をフロー視聴要求に含める。
【００７８】
基地局１９００は、受信したフロー視聴要求に含まれるセクタ情報を収集し（図２２）、フロー送信要求を行う上位ｍ個のセクタを決定（本実施例では、基地局３、図２５）する（Ｓ２３０６）。次に、基地局１９００は、フローＩＤに基づき、フロー情報管理テーブルを検索し、取得したフローＩＤ、データレート、送信時間、送信タイミングを含むフロー送信要求を基地局１９０２に行う（Ｓ２３０８）。基地局１９０２は、無線端末１００〜１０２に対して、フロー送信を開始する（Ｓ２３０９）。
【００７９】
次に、図２４を用いて、無線端末１０１、無線端末１０２が、移動した場合（図２０）について説明する。基地局１９００は、無線端末１００〜１０２にフローを送信している（ステップＳ２４０１）。
【００８０】
各無線端末（１００、１０１、１０２）は、各基地局（セクタ）から受信した信号の電力を測定し（ステップＳ２４０２）、テーブルに記憶する（ステップ２４０３）（図２１）。無縁端末は、測定した受信電力と予め設定された電力閾値とを比較し、その電力閾値を超え、かつ受信電力の高い上位ｎのセクタを決定する（Ｓ２４０４）。次に各無線端末は、フローＩＤと決定したセクタ情報を含むフロー視聴要求を基地局１（セクタ１）に行う（Ｓ２４０５）。ここでは、無線端末２は、移動により、基地局２の情報（セクタ情報）フロー視聴要求に含める。同様に、無線端末３は、移動により、基地局５の情報（セクタ情報）フロー視聴要求に含める。
【００８１】
基地局１９００は、受信したフロー視聴要求に含まれるセクタ情報を収集し、フロー送信要求を行う上位ｍ個のセクタを決定（本実施例では、基地局２、図２６）する（Ｓ２４０６）。次に、基地局１９００は、フローＩＤに基づき、フロー情報管理テーブルを検索し、取得したフローＩＤ、データレート、送信時間、送信タイミングを含むフロー送信要求を基地局１９０１に行う（Ｓ２４０８）。基地局１９０１は、無線端末１００〜１０２に対して、無線端末１００−１０２へのフロー送信を開始する（Ｓ２４０９）。基地局１９０２に対しては、フロー停止要求を行う（Ｓ２４１０）。基地局１９０２は、この要求を受け、無線端末１００〜１０２へのフロー送信を停止する（Ｓ２４１１）。
【００８２】
このように、無線基地局（セクタ）では無線端末からのフロー視聴要求が停止するまで繰り返し統計収集を行い、統計の結果に合わせてダイナミックにフローを送信させるセクタを変更する。フローの送信が必要ないセクタに対してはフロー停止要求を、フローを新規に送信させる必要のあるセクタに対してはフロー送信要求を送信する。フロー停止要求を受信したセクタは該当フローに対して無線端末からフロー視聴要求を受信していないか確認し、受信していない場合はフローを解放する。
【実施例５】
【００８３】
上記実施例で用いた、ＳＣＲ、ＳＣＤ以外に、無線基地局に、該無線基地局からの距離を示すパラメータであるＳＤＲ（Ｓｏｆｔ  Ｄｉｓｔａｎｃｅ  Ｒａｄｉｕｓ）を用いてもよい。
【００８４】
尚、上記実施例１〜５で、フローの送信、停止の制御を行う手段は、基地局以外の通信制御装置が行っても良い。
【図面の簡単な説明】
【００８５】
【図１】第１の実施形態による無線通信システムの構成を示す図である。
【図２】無線基地局の構成を示すブロック図である。
【図３】無線基地局に備えるセクタ状態管理テーブル２１２の構成を示す図である。
【図４】無線基地局に備えるフロー情報管理テーブル２１３の構成を示す図である。
【図５】通信制御装置１２０の構成を示すブロック図である。
【図６】通信制御装置１２０に備える情報管理テーブル５２２の構成を示す図である。
【図７】コンテンツサーバ１４０の構成を示す図である。
【図８】第１の実施形態による無線通信システムの動作を示すシーケンス図である。
【図９】同じく、第１の実施形態による無線通信システムの動作を示すシーケンス図である。
【図１０】第２の実施形態による無線通信システムの動作概要を示す図である。
【図１１】同じく、第２の実施形態による無線通信システムの動作概要を示す図である。
【図１２】第２の実施形態による無線基地局に備えるテーブルの構成を示す図である。
【図１３】第２の実施形態による無線通信ンシステムの動作を示すシーケンス図である。
【図１４】同じく、第２の実施形態による無線通信ンシステムの動作を示すシーケンス図である。
【図１５】第３の実施形態による無線通信システムの動作概要を示す図である。
【図１６】第３の実施形態による無線基地局に備えるテーブルの構成を示す図である。
【図１７】第３の実施形態による無線通信ンシステムの動作を示すシーケンス図である。
【図１８】第３の実施形態による無線通信ンシステムの動作を示すシーケンス図である。
【図１９】第４の実施形態による無線通信システムの動作概要を示す図である。
【図２０】同じく、第４の実施形態による無線通信システムの動作概要を示す図である。
【図２１】第４の実施形態による無線端末に備えるテーブルの構成を示す図である。
【図２２】第４の実施形態による無線基地局に備えるテーブルの構成を示す図である。
【図２３】第４の実施形態による無線通信ンシステムの動作を示すシーケンス図である。
【図２４】同じく、第４の実施形態による無線通信ンシステムの動作を示すシーケンス図である。
【図２５】第４の実施形態による無線基地局で収集した統計情報の結果を示す図である。
【図２６】同じく、第４の実施形態による無線基地局で収集した統計情報の結果を示す図である。
【符号の説明】
【００８６】
１００  無線端末
１１０−１〜１１０−６  無線基地局
１２０  通信制御装置
１３０  通信網（ＩＰ網）
１４０  コンテンツサーバ
２００−１〜２００−３  アンテナ
２０１−１〜２０１−３  無線アナログ部
２０２  ディジタル信号処理部
２０３  回線インタフェース部
２０４  呼処理部
２０５  基地局制御部
５００、５０１  回線インタフェース
５０２  呼処理部
５０３  装置制御部
【図１】
0004525708.tif 000002
【図２】
0004525708.tif 000003
【図３】
0004525708.tif 000004
【図４】
0004525708.tif 000005
【図５】
0004525708.tif 000006
【図６】
0004525708.tif 000007
【図７】
0004525708.tif 000008
【図８】
0004525708.tif 000009
【図９】
0004525708.tif 000010
【図１０】
0004525708.tif 000011
【図１１】
0004525708.tif 000012
【図１２】
0004525708.tif 000013
【図１３】
0004525708.tif 000014
【図１４】
0004525708.tif 000015
【図１５】
0004525708.tif 000016
【図１６】
0004525708.tif 000017
【図１７】
0004525708.tif 000018
【図１８】
0004525708.tif 000019
【図１９】
0004525708.tif 000020
【図２０】
0004525708.tif 000021
【図２１】
0004525708.tif 000022
【図２２】
0004525708.tif 000023
【図２３】
0004525708.tif 000024
【図２４】
0004525708.tif 000025
【図２５】
0004525708.tif 000026
【図２６】
0004525708.tif 000027